(57)【要約】【課題】  陳列物の訴求効果を高めることが可能な陳列ケースを提供する。【解決手段】  円弧状の断面を有する側板１１の両端が半円状の一対の端板１２，１３によりそれぞれ覆われて上部が開口するケース本体１０と、一対の端板１２，１３の間に収容されてケース本体１０の内部を中央で分割する仕切板２０とを備え、仕切板２０は、上部がケース本体１０の開口から突出する陳列ケース１。【選択図】  図１
0003113926.tif 000002
【実用新案登録請求の範囲】
【請求項１】
円弧状の断面を有する側板の両端が、半円状の一対の端板によりそれぞれ覆われて、上部が開口するケース本体と、
前記一対の端板の間に収容されて、前記ケース本体の内部を中央で分割する仕切板とを備え、
前記仕切板は、上部が前記ケース本体の開口から突出する陳列ケース。
【請求項２】
前記ケース本体における側板の内面に、前記端板と平行に延びる見出保持溝を備え、
前記仕切板の上部には、前記見出保持溝に対応する位置に切欠部が形成されている請求項１に記載の陳列ケース。
【請求項３】
前記ケース本体の側板下部における両端近傍に設けられた一対の脚部を備え、
前記脚部の一方に、脚長さを延長するための延長部材が着脱自在に設けられている請求項１又は２に記載の陳列ケース。
【請求項４】
前記一対の端板の少なくとも一方に案内溝が形成され、
前記仕切板は、前記案内溝に沿って着脱自在に取り付けられている請求項１から３のいずれかに記載の陳列ケース。
【考案の詳細な説明】
【技術分野】
【０００１】
本考案は、カタログやパンフレット等を陳列するための陳列ケースに関する。
【背景技術】
【０００２】
カタログ、パンフレット、雑誌等を、陳列台や陳列ケース等の陳列器具を用いて陳列することが、従来から行われている。例えば、特許文献１には、陳列物の幅寸法に合わせて、側枠間隔を調整可能に構成された陳列台が開示されている。
【特許文献１】実開平５−６５２６３号公報
【考案の開示】
【考案が解決しようとする課題】
【０００３】
上述した従来の陳列台は、種々の幅方向サイズを有する陳列物に対応可能であるが、陳列物の形状としては一般的な矩形状のものを対象としており、利用者への訴求力を高める観点から更に改良の余地があった。
【０００４】
そこで、本考案は、陳列物の訴求効果を高めることが可能な陳列ケースの提供を目的とする。
【課題を解決するための手段】
【０００５】
本考案の前記目的は、円弧状の断面を有する側板の両端が、半円状の一対の端板によりそれぞれ覆われて、上部が開口するケース本体と、前記一対の端板の間に収容されて、前記ケース本体の内部を中央で分割する仕切板とを備え、  前記仕切板は、上部が前記ケース本体の開口から突出する陳列ケースにより達成される。
【０００６】
この陳列ケースによれば、利用者の目を引き易い半円形の陳列物を、仕切板で分割されたケース本体の内部に起立状態で確実に保持することができる。
【０００７】
この陳列ケースは、前記ケース本体における側板の内面に、前記端板と平行に延びる見出保持溝を備えることが好ましく、この場合、前記仕切板の上部には、前記見出保持溝に対応する位置に切欠部が形成されていることが好ましい。
【０００８】
また、前記ケース本体の側板下部における両端近傍に設けられた一対の脚部を備えることができ、この場合、前記脚部の一方に、脚長さを延長するための延長部材が着脱自在に設けられていることが好ましい。
【０００９】
また、前記一対の端板の少なくとも一方に案内溝が形成されていることが好ましく、前記仕切板は、前記案内溝に沿って着脱自在に取り付けることができる。  
【考案の効果】
【００１０】
本考案によれば、陳列物の訴求効果を高めることが可能な陳列ケースを提供することができる。
【考案を実施するための最良の形態】
【００１１】
以下、本考案の一実施形態について添付図面を参照して説明する。図１は、本考案の一実施形態に係る陳列ケースの斜視図である。陳列ケース１は、例えばアクリルなどにより形成されており、ケース本体１０と、ケース本体１０に収容される矩形状の仕切板２０とを備えている。
【００１２】
ケース本体１０は、円弧状の断面を有する側板１１の両端が、半円状の一対の端板である前端板１２及び後端板１３によりそれぞれ覆われて構成されており、カタログやパンフレット等の陳列物を収容する開口１４を上部に有している。後端板１３には、取付孔１５が形成されている。
【００１３】
図２は、図１に示す陳列ケースの平面図である。図１及び図２に示すように、ケース本体１０の内部は、側板１１の内面に、前端板１２及び後端板１３に平行に延びる円弧状の一対のリブ１６ａ，１６ｂが設けられており、これらリブ１６ａ，１６ｂの間に、見出板（図示せず）を保持するための見出保持溝１６が形成されている。見出保持溝１６は、ケース本体１０の長手方向に沿って等間隔に複数設けられている。
【００１４】
見出保持溝１６は、本実施形態においては側板１１の円弧状断面に沿って両側上部にそれぞれ設けられているが、側板１１の円弧状断面に沿った全体に亘るように設けられていてもよい。また、リブ１６ａ，１６ｂを設ける代わりに、側板１１の内面を切り欠いて見出保持溝１６を形成することも可能である。
【００１５】
後端板１３の内面中央には、仕切板２０の後縁と係合する案内溝１３１が形成されており、側板１１の底面中央には、仕切板２０の下縁と係合する当接溝１１１が形成されている。仕切板２０は、ケース本体１０の内部に案内溝１３１に沿って着脱自在に挿入され、当接溝１１１に当接して保持される。
【００１６】
本実施形態においては、側板１１の内面における前端板１２の近傍に、側板１１の円弧状断面に沿って全体に延びるリブ１６ｃが形成されており、このリブ１６ｃと前端板１２との間に最前の見出保持溝１６が形成される一方、このリブ１６ｃと後端板１３の案内溝１３１との間に、仕切板２０が挟持されている。仕切板２０は、前端板１２と後端板１３との間に挟持可能に構成することも可能であり、この場合、前端板１２にも、後端板１３の案内溝１３１と同様の案内溝を形成してもよい。
【００１７】
図３は、図１に示す陳列ケースの側面図である。図３に示すように、仕切板２０は、ケース本体１０に収容された状態で、上部がケース本体１０の開口１４よりも上方に突出している。仕切板２０の開口１４からの突出高さは、特に限定されるものではないが、陳列物が収容された状態での見栄えを良くするために、前端板１２（又は後端板１３）の半径よりも小さいことが好ましい。仕切板２０の上部は、各見出保持溝１６に対応して、ケース本体１０の長手方向における各見出保持溝１６と略同じ位置に切欠部２０１が形成されている。
【００１８】
図１及び図３に示すように、ケース本体１０における側板１１の下部には、前脚部３１及び後脚部３２からなる一対の脚部が設けられている。前脚部３１は、平板状に形成されており、前端板１２の近傍に配置されている。一方、後脚部３２は、所定の間隔をあけて配置された平板状の２枚の脚板３２１，３２２から構成されており、後端板１３の近傍に配置されている。後脚部３２における脚板３２１，３２２の間には、平板状の延長部材３３が着脱自在に挿入される。
【００１９】
以上のように構成された陳列ケースは、一般的な矩形状のカタログやパンフレット等の陳列物ではなく、利用者に斬新な感じを与える半円状の陳列物が収容される。
【００２０】
図４は、図１に示す陳列ケースに陳列物が収容された状態を示す横断面図である。図４に示す陳列物５０は、例えば、開いた状態で円形になる半円形のカタログであり、仕切板２０を挟んで両側にそれぞれ収容されることにより、全体として円形となるように陳列される。陳列物５０の外縁における円弧部は、側板１１の湾曲する内面に接しており、陳列物５０の外縁における直線部は、仕切板２０の表面と接するため、陳列物５０がケース本体１０の内部に起立状態で保持される。特に、本実施形態においては、仕切板２０の上部がケース本体１０の開口１４から突出しているため、陳列物５０が仕切板２０を乗り越えて倒れるのを確実に防止することができる。この結果、一般的な形状のカタログ等に比べて、利用者の目を引き易い状態で陳列することができ、訴求効果を高めることができる。
【００２１】
これらの陳列物５０は、属性（例えば、ギフト用カタログの場合は、送り先や商品の種類、価格帯など）に応じて分類して収容することができ、図１に示すように、各分類を表す見出板５２を見出保持溝１６に収容することにより、利用者の利便性を図ることができる。見出板５２は、厚紙や樹脂ボードからなる円板状の部材であり、外縁から中心部まで径方向に形成された切欠部５４を有している。この見出板５２は、切欠部５４が仕切板２０の切欠部２０１に係合するようにケース本体１０に収容することにより、外周縁が見出保持溝１６に保持される。
【００２２】
陳列ケース１に収容された陳列物５０は、例えば、図５に示すように陳列することができる。図５は、多段に配置された棚板６１を有する陳列棚６２を斜視図で示しており、各棚板６１に陳列ケース１が載置されている。この場合には、図６に側面図で示すように、後脚部３２に延長部材３３を取り付けて、前脚部３１の脚長さよりも後脚部３２の脚長さを長くすることが好ましく、これによって、陳列ケース１は、後方側が持ち上がるように傾斜した状態となるため、ケース本体１０の奥側に収容された陳列物５０の確認や取り出しを容易に行うことができる。
【００２３】
また、陳列物５０の陳列は、図７に示すようにして行うこともできる。図７は、複数の支持板７１が支軸７２に回転可能に取り付けられた展示スタンド７３を斜視図で示しており、支持板７１には支持孔７４が形成されている。陳列ケース１は、後端板１３の取付孔１５を支持孔７４に合わせて、ボルト・ナット等の連結部材により連結することで、支持板７１に固定される。
【図面の簡単な説明】
【００２４】
【図１】本考案の一実施形態に係る陳列ケースの斜視図である。
【図２】前記陳列ケースの平面図である。
【図３】前記陳列ケースの側面図である。
【図４】前記陳列ケースに陳列物が収容された状態を示す横断面図である。
【図５】前記陳列ケースを用いた陳列状態の一例を示す斜視図である。
【図６】陳列状態の一例の詳細を示す側面図である。
【図７】前記陳列ケースを用いた陳列状態の他の例を示す斜視図である。
【符号の説明】
【００２５】
１  陳列ケース
１０  ケース本体
１１  側板
１１１  当接溝
１２  前端板
１３  後端板
１３１  案内溝
１４  開口
１５  取付孔
１６  見出保持溝
２０  仕切板
２０１  切欠部
３１  前脚部
３２  後脚部
３３  延長部材
５０  陳列物
【図１】
0003113926.tif 000003
【図２】
0003113926.tif 000004
【図３】
0003113926.tif 000005
【図４】
0003113926.tif 000006
【図５】
0003113926.tif 000007
【図６】
0003113926.tif 000008
【図７】
0003113926.tif 000009